(57)【要約】接続端末(AT：AccessTerminal)のグループ割当をスイッチングする方法を提供する。このグループ割当スイッチング方法は、ＡＴに割り当てられた現在グループと、該ＡＴがスイッチングされる割当グループとを指示する制御メッセージを受信する段階と、この割当グループに該当する次の受信グループインターレースでデータを復号する段階と、を含む。上記制御メッセージは、グループ割当メッセージを含むことを特徴とし得る。上記制御メッセージは、オーバーヘッドメッセージを含むことを特徴とし得る。
2010507318.tif 000002
【特許請求の範囲】
【請求項１】
接続端末（AT：AccessTerminal）のグループ割当をスイッチングする方法であって、
前記ＡＴが割り当てられた現在のグループとＡＴがスイッチングされる割当グループとを指示する制御メッセージを受信する段階と、
前記割当グループに該当する次の受信グループインターレースでデータを復号する段階と、
を含むグループ割当スイッチング方法。
【請求項２】
前記制御メッセージは、グループ割当メッセージを含むことを特徴とする、請求項１に記載のグループ割当スイッチング方法。
【請求項３】
前記制御メッセージは、オーバーヘッドメッセージを含むことを特徴とする、請求項１に記載のグループ割当スイッチング方法。
【請求項４】
前記割当グループを指示する前記制御メッセージ受信を表す肯定応答（ACK：Acknowledgement）を通信する段階をさらに含むことを特徴とする、請求項１に記載のグループ割当スイッチング方法。
【請求項５】
前記現在グループから前記割当グループへ前記ＡＴのグループ割当をスイッチングする段階をさらに含むことを特徴とする、請求項１に記載のグループ割当スイッチング方法。
【請求項６】
前記データは、グルーピングされた資源割当（grouped resource allocation：GRA）ビットマップデータを含むことを特徴とする、請求項１に記載のグループ割当スイッチング方法。
【請求項７】
前記制御メッセージは、前記ＡＴの前記グループ割当スイッチングを誘発するための割当タイプフィールドを含むことを特徴とする、請求項１に記載のグループ割当スイッチング方法。
【請求項８】
前記ＡＣＫは、上位階層ＡＣＫを含むことを特徴とする、請求項１に記載のグループ割当スイッチング方法。
【請求項９】
前記ＡＴが前記現在グループに該当するグループインターレースのデータを復号する段階をさらに含むことを特徴とする、請求項１に記載のグループ割当スイッチング方法。
【請求項１０】
前記現在グループに該当する現在グループインターレースと前記割当グループに該当する前記次の受信グループインターレースで前記制御メッセージを受信する段階と、
前記割当グループを指示する前記制御メッセージの受信を表すＡＣＫを前記復号化後に通信する段階と、
をさらに含むことを特徴とする、請求項１に記載のグループ割当スイッチング方法。
【請求項１１】
前記ＡＣＫを受信する段階と、
前記ＡＣＫ受信に対する応答として、前記現在グループインターレースで前記制御メッセージの伝送を中断する段階と、
をさらに含むことを特徴とする、請求項１０に記載のグループ割当スイッチング方法。
【請求項１２】
前記現在グループに該当する現在のグループインターレースでのみ前記制御メッセージを受信する段階と、
前記割当グループを指示する前記制御メッセージの受信を表すＡＣＫを前記復号化後に通信する段階と、
をさらに含むことを特徴とする、請求項１に記載のグループ割当スイッチング方法。
【請求項１３】
前記ＡＣＫを受信する段階と、
前記ＡＣＫ受信に対する応答として、前記現在グループインターレースで前記制御メッセージの伝送を中断する段階と、
前記割当グループに該当する前記次の受信グループインターレースで伝送を始める段階と、
をさらに含むことを特徴とする、請求項１２に記載のグループ割当スイッチング方法。
【請求項１４】
前記ＡＴのインターレースオフセットをスイッチングする段階をさらに含み、前記ＡＴのインターレースオフセットをスイッチング段階は、
前記制御メッセージで前記ＡＴに割り当てられた現在のインターレースオフセットと前記ＡＴがスイッチングされる割当インターレースオフセットを検出する段階と、
前記割当インターレースオフセットを指示する前記制御メッセージの受信を表すＡＣＫを通信する段階と、
前記現在のインターレースオフセットで前記割当インターレースオフセットへ前記ＡＴのインターレースオフセットをスイッチングする段階と、
前記割当インターレースオフセットに該当する次の受信インターレースオフセットで前記データを復号する段階と、
を含むことを特徴とする、請求項１に記載のグループ割当スイッチング方法。
【請求項１５】
接続端末（ＡＴ）のインターレースオフセットをスイッチングする方法であって、
前記ＡＴに割り当てられた現在のインターレースオフセット及び前記ＡＴがスイッチングされる割当インターレースオフセットを指示する制御メッセージを受信する段階と、
前記割当インターレースオフセットに該当する次の受信インターレースオフセットでデータを復号する段階と、
を含むインターレースオフセットスイッチング方法。
【請求項１６】
前記割当インターレースオフセットを指示する前記制御メッセージの受信を表す肯定応答（ＡＣＫ）を伝送する段階をさらに含むことを特徴とする、請求項１５に記載のインターレースオフセットスイッチング方法。
【請求項１７】
前記現在インターレースオフセットから前記割当インターレースオフセットへ前記ＡＴのインターレースオフセットをスイッチングする段階をさらに含むことを特徴とする、請求項１５に記載のインターレースオフセットスイッチング方法。
【請求項１８】
ネットワークエンティティが接続端末（ＡＴ）のインターレースオフセットをスイッチングする方法であって、
前記ＡＴに割り当てられた現在のインターレースオフセット及び前記ＡＴがスイッチングされる割当インターレースオフセットを指示する制御メッセージを伝送する段階と、
前記割当インターレースオフセットに該当する次の送信インターレースオフセットで復号されるデータを伝送する段階と、
を含むインターレースオフセットスイッチング方法。
【請求項１９】
前記割当インターレースオフセットを指示する前記制御メッセージの受信を表す肯定応答（ＡＣＫ）を受信する段階をさらに含むことを特徴とする、請求項１８に記載のインターレースオフセットスイッチング方法。
【請求項２０】
ネットワークエンティティが接続端末（ＡＴ）のグループ割当をスイッチングする方法であって、
前記ＡＴに割り当てられた現在のグループ及び前記ＡＴがスイッチングされる割当グループを指示する制御メッセージを伝送する段階と、
前記割当グループに該当する次の割当グループインターレースでデータを伝送する段階と、
を含むグループ割当スイッチング方法。
【請求項２１】
前記割当グループを指示する前記制御メッセージの受信を表す肯定応答（ＡＣＫ）を受信する段階をさらに含むことを特徴とする、請求項２０に記載のグループ割当スイッチング方法。
【請求項２２】
前記現在のグループから前記割当グループへ前記ＡＴのグループ割当をスイッチングする段階をさらに含むことを特徴とする、請求項２０に記載のグループ割当スイッチング方法。
【請求項２３】
前記割当グループを指示する前記制御メッセージの受信を表すＡＣＫを通信する段階をさらに含むことを特徴とする、請求項２０に記載のグループ割当スイッチング方法。
【請求項２４】
前記現在のグループから前記割当グループへ前記ＡＴのグループ割当をスイッチングする段階をさらに含むことを特徴とする、請求項２０に記載のグループ割当スイッチング方法。
【請求項２５】
前記ネットワークエンティティは、基地局、Node B、eNode B及び接続網中の一つであることを特徴とする、請求項２０に記載のグループ割当スイッチング方法。
【発明の詳細な説明】
【技術分野】
【０００１】
本発明は、無線通信に関するもので、特に、無線通信網で動作できる接続端末のグループ割当スイッチングに関する。
【背景技術】
【０００２】
固定広帯域及び移動広帯域超高性能を提供するために、ＵＭＢ（Ultra Mobile Broadband）では高度な制御及びシグナリング構造と改善されたアンテナ技術を用いてＣＤＭＡ、ＴＤＭＡ、ＬＳ（Layer-Superposed）−ＯＦＤＭ、ＯＦＤＭ及びＯＦＤＭＡの長所を結合した単一無線インタフェースを具現する。
【０００３】
ＵＭＢは、移動中に順方向リンクに対して最大２８８Ｍｂｐｓ、逆方向リンクに対して最大７５Ｍｂｐｓを支援し、平均網待ち時間として１６．８ｍｓｅｃを支援する。また、移動中に５００人を越えるＶｏＩＰ（Voice over IP）使用者を１０ＭＨｚで同時に受け入れる。さらに、ＵＭＢはＩＰによる音声、広帯域データ、マルチメディア、情報技術、娯楽及び消費者電子サービスの統合を可能にする。
【０００４】
ＵＭＢでは、ＯＦＤＭＡ ＭＡＣ／物理階層の効率的な支援と、分散接続網の他に中央集中式接続網に対する充分な支援も可能である。ＵＭＢは、接続網間インタフェース効率化を実現し、無線インタフェース変更境界線間でシームレスな高速２階層ハンドオーバーを支援する。
【０００５】
図１は、中央集中式ＵＭＢ接続網を示す図である。図１に示すように、各接続端末（AT：Access Terminal）は、活性セットに含まれたそれぞれの接続網（AT：Access Network）に対して別途のプロトコルスタックを維持する。各プロトコルスタックを“経路（route）”という。また、各基地局制御器（BSC：BaseStation Controller）が別途のＡＮとなる。
【０００６】
図２は、分散式ＵＭＢ接続網を示す図である。図２に示すように、網構成において各ＡＴは活性セットに含まれた各ＡＮに対して別途のプロトコルスタックを維持し、各セルが別途のＡＮとなる。
【０００７】
ＵＭＢでは各ＡＴが数多くの経路を支援するようにし、ＡＮ間インタフェースが単純化される。ｅＢＳ間インタフェースがより単純化されることによって標準化した、相互連動実施が可能である。
【０００８】
活性セットに含まれた各ｅＢＳは別途のデータ経路を利用し、ｅＢＳ間にはＲＬＰ及びヘッダ圧縮状態を伝送する必要がない。ｅＢＳとＡＴ間のトラフィックの流れはサービングｅＢＳを介したトンネリングでなされるため、セル間にシームレスな高速リポインティングが支援される。
【０００９】
ｅＢＳとＡＴ間プロトコルのシグナリングメッセージ送受信は、サービングｅＢＳを介したトンネリングでなされることができる。活性セットにおいてｅＢＳは相互間に連結状態を維持する必要がない。
【００１０】
ＵＭＢ階層化を通じてデータ経路上のプロトコル数が減少する。図３には、応用階層でシグナリングアプリケーション、ＩＰ、ＲｏＨＣ、ＥＡＰ及び技術間トンネリングを提供するＵＭＢ階層を示す。無線リンク階層ではＲＬＰ及び関連プロトコルを提供する。ＭＡＣ階層はパケット統合プロトコル（packet consolidation protocol）を提供し、物理階層チャネルを制御する。物理階層は、無線インタフェースチャネルの特性を定義する。保安機能は暗号化、メッセージ無欠性（messageintegrity）及びキー交換のためのプロトコルである。経路制御平面（route control plane）は、各ｅＢＳに対して一つの無線インタフェースプロトコルスタックの生成及び維持を制御する。セッション制御平面（sessioncontrol plane）は、セッションネゴシエーションを提供する。連結制御平面（connection control plane）はＡＴとｅＢＳ間の連結を制御する。
【発明の概要】
【課題を解決するための手段】
【００１１】
本発明の特徴及び長所は下記の説明で提示され、また、部分的には下記の説明から明らかになったり、発明の実施により学習されることができる。本発明の目的と他の利点は、添付の図面の他に下記の説明及びそれに対する請求項で記述される構造によって具現され達成されることができる。
【００１２】
一実施例によって、接続端末（ＡＴ）のグループ割当をスイッチングする方法は、ＡＴが割り当てられた現在のグループと、前記ＡＴがスイッチングされる割当グループとを指示する制御メッセージを受信する段階と、前記割当グループに該当する次の受信グループインターレースでデータを復号する段階と、を含む。
【００１３】
一特徴として、前記制御メッセージはグループ割当メッセージを含む。
【００１４】
他の特徴として、前記制御メッセージはオーバーヘッドメッセージを含む。
【００１５】
さらに他の特徴として、前記方法は、前記割当グループを指示する前記制御メッセージ受信を表す肯定応答（ACK：acknowledgement）を通信する段階をさらに含む。
【００１６】
さらに他の特徴として、前記方法は、前記現在グループから前記割当グループへと前記ＡＴのグループ割当をスイッチングする段階をさらに含む。
【００１７】
一様態として、前記データは、グルーピングされた資源割当（grouped resource allocation：GRA）ビットマップデータを含む。
【００１８】
他の様態として、前記制御メッセージは、前記ＡＴの前記グループ割当スイッチングを誘発するための割当タイプフィールドを含む。
【００１９】
さらに他の様態として、前記ＡＣＫは上位階層ＡＣＫを含む。
【００２０】
さらに他の様態として、前記方法は、前記ＡＴが前記現在グループに該当するグループインターレースのデータを復号する段階をさらに含む。
【００２１】
一特徴として、前記ＡＴのインターレースオフセットのスイッチングは、前記制御メッセージから、前記ＡＴに割り当てられた現在のインターレースオフセットと前記ＡＴがスイッチングされる割当インターレースオフセットを検出する段階と、前記割当インターレースオフセットを指示する前記制御メッセージの受信を表すＡＣＫを通信する段階と、前記現在のインターレースオフセットから前記割当インターレースオフセットに前記ＡＴのインターレースオフセットをスイッチングする段階と、前記割当インターレースオフセットに該当する次の受信インターレースオフセットで前記データを復号する段階と、を含む方法によって達成される。
【００２２】
他の実施例によって、接続端末（ＡＴ）のインターレースオフセットスイッチング方法は、前記ＡＴに割り当てられた現在のインターレースオフセットと前記ＡＴがスイッチングされる割当インターレースオフセットとを指示する制御メッセージを受信する段階と、前記割当インターレースオフセットに該当する次の受信インターレースオフセットでデータを復号する段階と、を含む。
【００２３】
さらに他の実施例によって、ネットワークエンティティが接続端末（ＡＴ）のインターレースオフセットをスイッチングする方法は、前記ＡＴに割り当てられた現在のインターレースオフセットと前記ＡＴがスイッチングされる割当インターレースオフセットとを指示する制御メッセージを伝送する段階と、前記割当インターレースオフセットに該当する次の送信インターレースオフセットで復号されるデータを伝送する段階と、を含む。
【００２４】
さらに他の実施例によって、ネットワークエンティティが接続端末（ＡＴ）のグループ割当をスイッチングする方法は、前記ＡＴに割り当てられた現在のグループと前記ＡＴがスイッチングされる割当グループとを指示する制御メッセージを伝送する段階と、前記割当グループに該当する次の割当グループインターレースでデータを伝送する段階と、を含む。
【００２５】
これらの及び他の実施例は、添付の図面に基づく実施例についての下記の詳細説明から明確になり、本発明は、開示されたいずれかの特定実施例に限定されることはない。
【図面の簡単な説明】
【００２６】
本発明の上記の及び他の様態、特徴、長所は、添付の図面と共に提示された好ましい実施例についての下記の説明に対する熟考からより明確になる。
【図１】中央集中式ＵＭＢ接続網を示す図である。
【図２】分散式ＵＭＢ接続網を示す図である。
【図３】応用階層でシグナリングアプリケーション、ＩＰ、ＲｏＨＣ、ＥＡＰ及び技術間トンネリングを提供するＵＭＢ階層を示す図である。
【図４】伝送フレームに対するＶｏＩＰサブパケット伝送のマッピングの一例を示す図である。
【図５】一般的なグループ設定メッセージの様々なフィールドと関連記述内容を含む表を示す図である。
【図６】様々な値と関連記述内容及び該当の値を含む表を示す図である。
【図７】Time_Durationフィールドに対する様々な値と関連記述内容を含む表を示す図である。
【図８】ソフトグループスイッチング（soft group switching）の一例を示すタイミング図である。
【図９】ハードグループスイッチング（hard group switching）の一例を示すタイミング図である。
【図１０】ソフトグループスイッチング方法に対するタイミング図で、その一例が図８に示されている。
【図１１】ハードグループスイッチング方法に対するタイミング図で、その一例が図９に示されている。
【図１２】本発明の一実施例によってＡＴのグループ割当スイッチング方法を示す図である。
【図１３】本発明の他の実施例によってＡＴのインターレースオフセットスイッチング方法を示す図である。
【図１４】本発明のさらに他の実施例によってネットワークエンティティがＡＴのインターレースオフセットスイッチングをする方法を示す図である。
【図１５】本発明のさらに他の実施例によってネットワークエンティティがＡＴのグループ割当スイッチングをする方法を示す図である。
【図１６】本発明の実施例によってＡＴとして構成されうる移動通信装置のブロック図である。
【発明を実施するための形態】
【００２７】
下記の詳細説明では、本明細書の一部を構成し、発明の特定実施例を例示する添付図面を参照する。本発明の思想を逸脱しない範囲内で他の実施例を利用することができ、手順的な変更だけでなく構造的、電気的な変更が可能であるということは、本技術分野における通常の技術を持つ者にとっては自明である。可能な限り、図面中、同一または類似な構成要素については同一の参照番号を付する。
【００２８】
資源活用、音質及び容量面における性能改善、要求される様々なサービス質（QoS：Qualities of Services）の支援などのようなパケット通信固有の利点から、パケット通信システムを用いた音声サービス提供は相当な関心を集めている。パケット音声サービスは、セルラー通信とＶｏＩＰ技術に取り込まれたことがある。ハイブリッド自動再送要求（ＨＡＲＱ）の取込みによって音質が向上した。
【００２９】
図４は、ＶｏＩＰサブパケットの伝送を伝送フレームにマッピングする一例を示す。一般的なＨＡＲＱ再伝送方法では、２０ｍｓの音声フレームに最大４回の伝送がおきる。ＡＴの各伝送は、同一インターレース上でなされる。一つのインターレースは１回のサブパケット伝送のために３個のインスタンスを含み、各インスタンスを“インターレースオフセット”という。ロード（load）バランスのために、特定グループに属したＡＴの最初サブパケット伝送は、例えば、４つのインターレースに分散されることができる。
【００３０】
図４に示すように、各ＡＴは、特定条件（例えば、チャネル状態による変調次数、ＱＰＳＫ、８ＰＳＫまたは１６ＱＡＭサブグループ）によって一つまたはそれ以上のサブグループにマッピングされることができる。ＶｏＩＰ通話時に、（例えば、移動性による）チャネル状態の変化をサブグループ変更に反映することが有用である。さらに、トラフィック資源の効率的な利用のために、ＶｏＩＰ通話中そしてグループ内でインターレースオフセットを変更することが有用である。
【００３１】
２つの一般的な例を下記で説明する。下記の例を実施することによって適切なＱｏＳレベル提供と同時に、資源の効率的利用及びより多い数のＡＴの受け入れのような特徴を提供できる。これらの例をそれぞれグループスイッチングとインターレースオフセットスイッチングと命名する。これらの例を結合して実施することも可能である。
【００３２】
グループスイッチングに関して、サブグループは一般的にＡＴのチャネル状態によって形成される。例えば、サービングセルの中心近傍にあるＡＴは相対的にチャネル状態が良いため、特定変調サブグループ（１６ＱＡＭ）が割り当てられることができるのに対し、セルの境界に位置するＡＴは、他の変調サブグループ（ＱＰＳＫ）が割り当てられることができる。例えば、ＶｏＩＰ通話中に、ＡＴが他の変調サブグループに該当するチャネル状態にある場合（例えば、良いチャネル状態から悪いチャネル状態に移動する、あるいは、その逆の場合）を想定する。
【００３３】
特定の一例として、ＡＴが初めのうちにはセル境界（ＱＰＳＫ）に位置しているが、以降セル中心へと移動する。もしＡＴが最初の変調グループ（ＱＰＳＫ）にそのまま属しているとすれば、使用される変調方式は、１６ＱＡＭ変調でも間に合う位置で通信を維持するのに十分すぎるほどのものである。このシナリオでＱＰＳＫ変調方式を維持すると資源の無駄使いにつながる。
【００３４】
一般的に、同一サブグループに属したＡＴの最初サブパケット伝送始点は、ロードのバランスのためにインターレースオフセットに分散されている。しかし、ＶｏＩＰトラフィックの散発性により、時間の経過につれてロードバランスはそのまま維持されない。例えば、同じサブグループ及び／または異なるサブグループのＶｏＩＰトラフィックロードが初めのうちにはインターレースオフセットに均一に分散されている場合を考慮する。一部のインターレースオフセットは活用度が高く、他のインターレースオフセットはロードがあまり多くない。したがって、意図したロードバランスが崩れる。このようなアンバランスを補償するために、スケジューラの負担を減らし、所望のＱｏＳ（例えば、遅延時間）を提供できるようにトラフィックロードを再分配することが好ましい。
【００３５】
インターレーススイッチングはグループ間スイッチングと、そしてインターレースオフセットスイッチングはグループ内スイッチングと見なすことができる。グループスイッチングを実施するための一般的な２つの接近方式をそれぞれ、ソフトグループスイッチングとハードグループスイッチングと呼ぶものとする。
【００３６】
まず、標準機構３ＧＰＰ２は、ＬＢＣ（Loosely Backward Compatible）−周波数分割デュプレクシング（FDD：Frequency DivisionDuplexing）に対する共同修正案（joint harmonized proposal）を受け入れる。例えば、ＶｏＩＰのグループ設定メッセージの場合、このメッセージを順方向データチャネル（F-DCH：ForwardData Channel）を通じて伝送される上位シグナリングを用いて定義し管理する。図５に、一般的なグループ設定メッセージの様々なフィールドと関連記述内容を含む表を示す。一実施例によって、このグループ設定メッセージにはInterlace_Offset_TargetとInterlace_Structure_Targetという一つあるいはそれ以上の付加フィールドをさらに含むことができる。
【００３７】
もし、インターレースインデックス関連情報をInterlace_Structure_Targetフィールドに伝送しないと、グループ設定メッセージにさらに他のフィールドを付加することができる。こういうフィールドをInterlace_Index及びInterlace_Index_Targetと呼ぶ。これらの様々な値とそれらに該当する関連記述内容を含む表を図６に示す。例えば、値が“０”であれば、それらのフィールドは同一なため、インターレース（グループ）スイッチングがないということを表し、値が“１”であれば、それらのフィールドが異なるため、インターレース（グループ）スイッチングがあるということを意味する。
【００３８】
インターレーススイッチング及び／またはインターレースオフセットスイッチングを実行する一つの方法は、現在インターレースとターゲットインターレース及び／または所定時間のオフセット（例えば、１、２または３個のスーパーフレーム）にわたって同一のデータを伝送するものである。これはTime_Durationというフィールドを用いて実施可能である。この方法は、現在とターゲットインターレース及び／またはインターレースオフセットに同一のデータを伝送するという点でソフトハンドオフと概念上似ている。
【００３９】
インターレーススイッチング及び／またはインターレースオフセットスイッチングを実行する他の方法は、Time_DurationとInterlace_Indexという付加フィールドを含めてグループ設定メッセージを構成するものである。この方法の一例を図７に示す。図７には、Time_Durationフィールドに指定されうる様々な値と関連記述内容を含む表を示す。
【００４０】
この方法によれば、Interlace_Indexフィールドに新しい（ターゲット）インターレースのインデックスを伝送する。新しいインターレース及び／または新しいインターレースオフセットを、既存のインターレース及び／または既存のインターレースオフセット値に上書きする。これらの値はTime_Durationフィールドに明示された時区間が経つと効力を有する。このフィールドを実行する一理由は、インターレース及び／またはインターレースオフセットをサブパケット単位ではなくパケット単位に変更できるわけである。最初のサブパケット伝送時点は４つのインターレースオフセットに分散されているため、例えばＶｏＩＰパケットはスーパーフレームにわたって伝送されることができる。この方法は、伝送が許容されるより良いインターレース及び／またはインターレースオフセットを確認するという点でセクタースイッチングと概念上似ている。
【００４１】
インターレーススイッチング及び／またはインターレースオフセットスイッチングを実行するさらに他の方法は、Interlace_Indexを含めてグループ設定メッセージを構成するものである。同一グループ設定メッセージを用いてインターレーススイッチングを実施すべく、このグループ設定メッセージの目的を具体的に表すことが好ましい。例えば、グループ設定メッセージは、初期グループ割当やグループスイッチングのいずれの用途にも使用可能である。グループ設定メッセージの用途を明示するも目的で、付加的なフィールドを含むことができる。この付加フィールドは所定数のビットを持つMessage_Typeフィールドと呼ぶ。例えば、Message_Typeが１ビットなら、値“０”は初期グループ設定を表し、値‘１”はグループスイッチングを表すように使用されることができる。上記の例で、Interlace_IndexとInterlace_Offsetフィールドはターゲットインターレースとインターレースオフセットを表すことができる。必要なら、多数のインターレーススイッチングを支援するために多数のInterlace_IndexとInterlace_Offsetフィールドを使用することができる。このような構成は、ＡＴに多数のインターレース及び／またはインターレースオフセットが割り当てられた場合に有用である。
【００４２】
図８は、ソフトグループスイッチングの一例を示すタイミング図である。図８には、インターレース／オフセットで現在進行されているＶｏＩＰトラフィック伝送と共にインターレース及び／またはインターレースオフセットスイッチングを実施する方法が示されている。特に、現在のインターレース／オフセットとターゲットインターレース／オフセットにおける伝送を示す。
【００４３】
時点１００で、ＡＮはインターレーススイッチング及び／またはインターレースオフセットスイッチングの目的でグループ設定メッセージを伝送する。これと略同時に、ＶｏＩＰトラフィック（サブパケット）は、現在のインターレース／オフセットとターゲットインターレース／オフセットで伝送される。グループ設定メッセージは、イベントが起きる時にのみ伝送されるので、伝送が頻繁でない。
【００４４】
時点１０５で、ＡＴはＡＮから様々な伝送信号を受信する。一実施例によれば、ＡＴは、物理階層ＨＡＲＱ方式によって２つの送信信号を結合し、これに対する肯定応答（ＡＣＫ）や否定応答（ＮＡＫ）を送ることができる。必要なら、上位階層のＡＣＫ／ＮＡＫを使用することができる。このような伝送は一般的に現在のインターレース／オフセットとターゲットインターレース／オフセットで起きる。このような段階で、一般的にＡＴは現在インターレースにおける逆方向ＡＣＫチャネル（Ｒ−ＡＣＫＣＨ）伝送を中断し、ターゲットインターレースでこのチャネルをＲＡＣＫＣＨに取り替える。
【００４５】
時点１１０で、ＡＮはＡＴから、例えばＡＣＫを受信する。ＡＮは直ちに応答してまたは以降のある時点にターゲットインターレース／インターレースオフセットでのみＶｏＩＰトラフィックを伝送する。以前の現在インターレース／インターレースオフセットにおける伝送は中断したり終了する。一般的に、ＡＴがターゲットグループインターレースでデータを成功的に受信して復号すると、現在インターレース／インターレースオフセットにおける伝送が終了する。すると、上記ターゲットインターレース／インターレースオフセットは現在インターレース／インターレースオフセットと呼ぶこととなる。
【００４６】
一般的に、二つのインターレースで受信した同じＶｏＩＰトラフィック（サブパケット）は、実行方式によって様々に利用されることができる。例えば、二つのサブパケットを結合し、それに対するＡＣＫまたはＮＡＫを現在のインターレースで伝送できる。
【００４７】
図９は、ハードグループスイッチングの一例を示すタイミング図である。図９には、インターレース／オフセットで現在進行しているＶｏＩＰトラフィック伝送と共にインターレース及び／またはインターレースオフセットスイッチングを実施する他の方法が示される。
【００４８】
時点１４０で、ＡＮは、インターレーススイッチング及び／またはインターレースオフセットスイッチングの目的でグループ設定メッセージを伝送する。これと略同時に、ＶｏＩＰトラフィック（サブパケット）は、現在のインターレース／インターレースオフセットでのみ伝送される。
【００４９】
時点１４５で、ＡＴは、ＡＮから様々な伝送信号を受信する。一実施例によれば、ＡＴは、状況によって現在のインターレース／インターレースオフセットでＡＣＫやＮＡＫを伝送する。ＡＣＫやＮＡＫは物理階層または上位階層のＡＣＫやＮＡＫでありうる。この期間にＡＴは一般的に現在インターレース／インターレースオフセットとターゲットインターレース／インターレースオフセットを監視する。
【００５０】
時点１５０で、ＡＮはＡＴから例えばＡＣＫを受信する。ＡＮは直ちに応答してまたは以降のある時点に、ターゲットインターレース／インターレースオフセットでのみＶｏＩＰトラフィックを伝送する。以前の現在インターレース／インターレースオフセットにおける伝送は中断する。
【００５１】
時点１５５でＡＴはターゲットインターレース／インターレースオフセットで送信信号を受信し、その後、現在のインターレース／インターレースオフセット監視を中断する。
【００５２】
一般的に、上位階層ＡＣＫは、無線リンクプロトコル（ＲＬＰ）ＡＣＫを含む。図９に示す第２の処理方式も同一インターレースでオフセットスイッチングに利用できる。例えば、上位階層ＡＣＫを送った後、ＡＴはターゲットオフセットでの伝送時点がわからないため、だいてい、現在オフセットとターゲットオフセットを両方とも監視する。しかし、ターゲットオフセットでの送信信号を成功的に検出して復号するようになると、ＡＴは（上述した如く）以前オフセットの監視を中断する。他のインターレースでターゲット伝送がなされると、ＡＴは両チャネルを復号する必要がないし、フラグ（flag）を含むビットマップをターゲットインターレースで受信すると、ターゲットインターレースにスイッチングすることができる。
【００５３】
図８及び図９で説明した方法は、例えば、ビットマップ方式を用いた逆方向伝送と、インターレースによる伝送方式を用いないグループ伝送システムに実施されることができる。ＡＴは、あるグループから他のグループへと再割当されることができる。
【００５４】
インターレースごとに一つのグループが許容され、グループとインターレース間に一対一マッピングがなされる実施例の場合、Message Typeがグループスイッチングを表すと、ターゲットグループを指定する“Group ID”フィールドを含むことができる。インターレース当たり複数個のグループが許容されたり、同一グループが複数個のインターレース及び／またはインターレースオフセットに許容されることができると、GroupID、Interlace_Index及びInterlace_Offsetはそれぞれ、ターゲットグループＩＤ、ターゲットインターレース及びインターレースオフセットを表すことができる。
【００５５】
必要に応じて、ＡＴを多数グループに含めることによって該ＡＴを同一または相異なるインターレース及び／またはインターレースオフセットで多数のグループに割り当てりたり、ＡＴを同一グループに含めることによって該ＡＴを多数のインターレースに割り当てることができる。特定ＱｏＳパラメータを支援するために、多数のＡＴを共同グループに含めたり単一ＡＴに多数のインターレース及び／またはインターレースオフセットを割り当て、多数の割当を要求するＡＴを支援することができる。
【００５６】
インターレースオフセットスイッチング（グループ内スイッチング）が要求される場合、Group IDフィールドは同一に維持し、Interlace_Offsetにはターゲットインターレースオフセットを指定する。一方、インターレーススイッチング（グループ間スイッチング）が要求されると、グループとインターレース間一対一マッピングの場合にはGroupIDフィールドにインターレースを指定する。この例で、グループとインターレースが一対一マッピングされないと、Group IDとInterlace_IndexフィールドはそれぞれターゲットグループＩＤとインターレースを表す。
【００５７】
さらに他の接近方法として、どのスイッチングモードが使われるかを知らせるためにSwitch Modeフィールドを含むことができる。例えば、Switch Modeは、ソフトグループスイッチング、ハードグループスイッチング、またはタイマーによるスイッチングを表すように設定されることができる。
【００５８】
上記説明は、一般的なグループ設定メッセージによるものである。しかし、グループ（インターレース）スイッチングの目的で付加メッセージを使用することができる。付加メッセージには、上に説明したグループ設定メッセージよりも少ない数のフィールドを含むことができる。
【００５９】
図１０は、ソフトグループスイッチングに対するタイミング図で、その一例が図８に示されている。図面凡例に様々なサブパケットの種類が示されており、それぞれ、サブパケットＡ〜Ｇで表される。図１０には、現在のインターレースとターゲットインターレースでのサブパケット伝送が示される。
【００６０】
初めに、サブパケットＡとサブパケットＦが現在のインターレースで伝送される。時点１６０でＡＮはターゲットインターレースで伝送（サブパケットＧ）を始める。この伝送は総じてＡＮが上位インターレーススイッチングメッセージのための最後のサブパケットを送った後に発生する。
【００６１】
ＡＴはＡＣＫ／ＮＡＫサブパケットＢとＣを伝送するものと示されている。時点１６５でＡＴは現在インターレースとターゲットインターレースの両方とも監視し始める。時点１７０でＡＴは現在インターレース監視を中断する。以降、ＡＮはＡＴから、例えば、上位階層ＡＣＫを受信した後に現在インターレース上の順方向トラフィック伝送を中断する。
【００６２】
図１１はハードグループスイッチングに対するタイミング図で、その一例が図９に示されている。図面凡例に様々なサブパケットの種類が示されており、それぞれ、サブパケットＡ〜Ｇで表される。図１１には、現在のインターレースとターゲットインターレースでのサブパケット伝送が示される。
【００６３】
初めにサブパケットＡとサブパケットＦが現在のインターレースで伝送される。時点１８０でＡＴは現在のインターレースとターゲットインターレースの両方とも監視し始める。時点１８５でＡＮはターゲットインターレースで伝送（サブパケットＧ）を始めることができる。この伝送は総じてＡＮがＡＴからＡＣＫを受信した後に発生する。時点１９０でＡＴは現在インターレースの監視を中断する。以降、時点２００で、ＡＮはＡＴから例えば上位階層ＡＣＫを受信した後に現在インターレース上の順方向トラフィック伝送を中断する。
【００６４】
図１２は、本発明の一実施例によってＡＴのグループ割当スイッチング方法を示す流れ図である。２２０段階でＡＴに割り当てられた現在のグループと今後ＡＴがスイッチングされる割当グループとを指示する制御メッセージを受信する。２２５段階で、割り当てられたグループに該当する次の受信グループインターレースでデータを復号する。
【００６５】
図１３は、本発明の他の実施例によってＡＴのインターレースオフセットスイッチング方法を示す流れ図である。２３０段階でＡＴに割り当てられた現在のインターレースオフセットと今後ＡＴがスイッチングされる割当インターレースオフセットとを指示する制御メッセージを受信する。２３５段階で、割当インターレースオフセットに該当する次の受信インターレースオフセットでデータを復号する。
【００６６】
図１４は、本発明のさらに他の実施例によってネットワークエンティティがＡＴのインターレースオフセットスイッチングを実施する方法を示す流れ図である。２４０段階で、ＡＴに割り当てられた現在のインターレースオフセットとＡＴが今後スイッチングされるインターレースオフセットとを指示する制御メッセージを伝送する。２４５段階で、割り当てられたインターレースオフセットに該当する次の伝送インターレースオフセットで復号されるデータを伝送する。
【００６７】
図１５は、本発明のさらに他の実施例によってネットワークエンティティがＡＴのグループ割当スイッチングを実施する方法を示す流れ図である。２５０段階で、ＡＴに割り当てられた現在グループとＡＴが今後スイッチングされる割当グループとを指示する制御メッセージを伝送する。２５５段階で、割り当てられたグループに該当する次の割り当てられたグループインターレースでデータを伝送する。
【００６８】
以上の実施例の他にも、これらの方法は、ＡＴが読むインターレース及び／またはインターレースオフセットのスイッチングに適用されることができる。例えば、ＡＴ（例えば、ＨＴＴＰトラフィック受信側）は、インターレース１を注視してからインターレース３を注視するようにスイッチングされることができる。
【００６９】
本発明の実施例は、ここに記述した例を用いて実施できるが、動作を付加しても良く、動作の数を減らしても良い。また、図示し説明した動作の順序は単なる例に過ぎず、単一動作順序に限定されることはない。
【００７０】
図１６は、本発明の実施例によってＡＴとして構成されることのできる移動通信装置３００のブロック図である。移動通信装置３００は、例えば移動電話とされており、本明細書に説明された様々な方法を実施するように構成されることができる。移動通信装置３００は、マイクロプロセッサやデジタル信号処理器のような処理部３１０、ＲＦモジュール３３５、電力管理モジュール３０５、アンテナ３４０、バッテリー３５５、ディスプレイ３１５、キーパッド３２０、選択事項として分離可能な使用者ＩＤモジュール（ＲＵＩＭ）カード３２５、フラッシュメモリー、ＲＯＭまたはＳＲＡＭのようなメモリー部３３０、スピーカー３４５及びマイク３５０を含む。
【００７１】
使用者は、キーパッド３２０のボタンを押したりマイク３５０を通じて音声命令を下すことによって電話番号のような命令情報を入力する。処理部３１０は、当該命令情報を受信し、電話番号をかける動作のような適切な機能を行なうために該命令情報を処理する。該機能を行なうためにメモリー部３３０から動作データを受信することができる。また、処理部３１０は、使用者の参照及び便宜の提供のためにディスプレイ３１５に当該命令情報と動作情報を表示することができる。
【００７２】
処理部３１０は通信開始、例えば、音声通信データを含む無線信号の送信のためにＲＦ部３３５に命令情報を発生する。ＲＦ部３３５は無線信号の送受信のための送信器と受信器を含む。アンテナ３４０は無線信号の送受信を担当する。無線信号受信時に、ＲＦモジュール３３５は受信信号をフォーワーディングしたり、処理部３１０で処理できるように受信信号を基底帯域周波数に変更する。この処理された信号は、例えばスピーカー３４５を通じて聞いたり読むことのできる情報に変換されることができる。
【００７３】
処理部３１０は、他の動作中においてもここに説明した様々な方法を実行するように構成される。移動通信装置３００は、例えば処理部３１０や他のデータまたはデジタル処理装置を単独でまたは外部支援論理装置と連係して使用することによって容易に具現されうるということは、本分野における当業者には明確な事実である。本発明を移動通信と関連づけて記述したが、移動通信が可能なＰＤＡやノートブックコンピュータのような移動機器を用いたいかなる無線通信システムにも適用可能である。また、本発明を記述する特定用語の使用によって本発明の範囲がＵＭＢのような特定無線通信システムに限定されるわけではない。本発明は、ＵＭＴＳ、ＴＤＭＡ、１ｘＥＶＤＯを含むＣＤＭＡ、ＨＳＤＰＡとＨＳＵＰＡなどを含むＷＣＤＭＡなどのように異なる無線インタフェース及び／または物理階層を利用する他の無線通信システムにも適用可能である。
【００７４】
以上好ましい実施例は、ソフトウェア、ハードウェア、ファームウエアまたはそれらの組合せを生産するために標準プログラミング及び／またはエンジニアリング技術を使用する方法、装置または製造品目として具現されることができる。ここで使われた“製造品目”という用語は、ハードウェアロジック（例えば、集積回路チップ、ＦＰＧＡ（Field Programmable Gate Array）、ＡＳＩＣ（Application Specific IntegratedCircuit）等）またはコンピュータで読取可能な媒体（例えば、ハードディスクドライブ、フロッピー（登録商標）ディスク、テープなどのような磁気記憶媒体、ＣＤ−ＲＯＭ、光学ディスクなどのような光学記憶装置、ＥＥＰＲＯＭ、ＲＯＭ、ＰＲＯＭ、ＲＡＭ、ＤＲＡＭ、ＳＲＡＭ、ファームウエア、プログラム可能なロジックなどのような揮発性、不揮発性メモリー）で実行されることのできるコードやロジックを意味する。コンピュータで読取可能な媒体ではプロセッサがコードに接近して実行する。
【００７５】
また、好ましい実施例が具現されうる上記コードは、伝送媒体を通じてまたはネットワークのファイルサーバーから接近可能である。そのような場合、コードが実行される上記製造品目は、網伝送路のような伝送媒体、無線伝送媒体、空間や無線波形や赤外線信号などを通じて伝播される信号で構成されることができる。もちろん、本発明の範囲を逸脱しない範囲内でこのような構成を修正でき、上記製造品目は本分野に知られた媒体を利用するいかなる情報でも構成されることができるということは、本分野における当業者には自明である。
【００７６】
図示されたロジック実行では、特定動作が特定順序で起きるとした。他の実施では、特定ロジック動作が異なる順序で実行されたり、修正、削除されることができ、この場合にも依然として本発明の好ましい実施例を構成できる。さらに、上述したロジックに段階を追加しても依然として本発明を具現することができる。
【００７７】
本発明は、ここに説明された一連の例示動作を用いて具現されることができるが、動作を追加したり省略したりしても良い。さらに、図示され説明された動作順序は単なる例示に過ぎず、一つの動作順序にのみ限定されるわけではない。
【００７８】
以上の実施例と長所は単なる例示に過ぎず、本発明は限定されるものとして解釈されてはならない。本発明の思想は、他の種類の装置及び方法にも容易に適用されることができる。本発明についての説明は、理解を助けるためのもので、特許請求の範囲を限定するものではない。他の方法、修正及び変更が可能であることは当業者には自明である。
【図１】
2010507318.tif 000003
【図２】
2010507318.tif 000004
【図３】
2010507318.tif 000005
【図４】
2010507318.tif 000006
【図５】
2010507318.tif 000007
【図６】
2010507318.tif 000008
【図７】
2010507318.tif 000009
【図８】
2010507318.tif 000010
【図９】
2010507318.tif 000011
【図１０】
2010507318.tif 000012
【図１１】
2010507318.tif 000013
【図１２】
2010507318.tif 000014
【図１３】
2010507318.tif 000015
【図１４】
2010507318.tif 000016
【図１５】
2010507318.tif 000017
【図１６】
2010507318.tif 000018
【国際調査報告】
2010507318.tif 000019
2010507318.tif 000020